(57)【要約】  【課題】  古紙回収について、チリ紙交換業者が戸別に古紙類を収集していること、不定期な収集のため市民等が困惑していること、或は委託された古紙回収業者が、予め決められた日時、置場に各戸から搬入した古紙類を収集しているため市民等が随時に収集置場へ持ち込めないのが現況。  【解決手段】  施設１の構内に、搬入者が古紙類を種類毎に分別して置く置場１２と、入場者及び退場者を監視する装置７と、分別の様子を監視し録画する装置１０と、誤った分別や不審者に対し音声による警告を発し且つ録画する装置１０と、施設の周囲を忍び返しを備えた塀２で取り囲み、自動車等が出入できる正門３のみを設けたセルフ方式で、且つドライブスルー様の古紙類等の無人回収施設の提供。  【選択図】  図１
2005225572.tif 000002
【特許請求の範囲】
【請求項１】
施設の構内に、搬入者が古紙類を種類毎に分別して置く置場と、入場者及び退場者を監視する装置と、分別の様子を監視し録画する装置と、誤った分別や不審者に対し音声による警告を発し且つ録画する装置と、施設の周囲を忍び返しを備えた塀で取り囲み、自動車等が出入できる正門のみを設けて成るセルフ方式で、且つドライブスルー様の古紙類等の無人回収施設。
【請求項２】
火災発生に備え、置場に自動消火用スプリンクラー装置を備えた請求項１記載の古紙類等の無人回収施設。
【請求項３】
施設の外部から構内を視認できる窓を備えた請求項１又は請求項２に記載の古紙類等の無人回収施設。
【発明の詳細な説明】
【技術分野】
【０００１】
本発明は古紙類の無人回収施設に関し、自動車に積載した多品種の古紙類を持参者自身で施設構内の所定置場へ分別して搬入し、古紙回収業者が収集するセルフ方式を特徴とする。
【背景技術】
【０００２】
従来、古紙類を回収して再生紙の資源にリサイクルするため、チリ紙交換業者はトラックで戸別に古紙類を収集しリサイクル工場へ搬入している。
【０００３】
民間のチリ紙交換業者に替り、地方自治体から委託された古紙回収業者が、予め決められた日時、置場に各戸から搬入した古紙類を収集しリサイクル工場へ搬入している。
【０００４】
上記のような現状に鑑み背景技術として、古紙回収管理システムに係る発明がある。（例えば、特許文献１参照。）
【特許文献１】特開２００３ー２８８４０５号公報  同発明は、ボランティア古紙収集者Ａと、その収集した古紙を回収する古紙回収業者Ｂの双方に対するビジネスモデルで、その要旨はボランティア古紙収集者Ａの端末と、古紙回収業者Ｂの端末と、古紙回収管理者Ｃのコンピューターとをネットワークで繋ぎ、このコンピューターに、ボランティア古紙収集者Ａ及び古紙回収業者Ｂに関する登録データを管理する登録者管理機能と、ボランティア古紙収集者Ａの端末から送信された収集量や回収指定日時等のオーダーを受けて古紙回収業者Ｂを選択し、古紙回収業者Ｂの端末に対して回収に利便な情報の送信を行う回収管理機能をもたせている。
【発明の開示】
【発明が解決しようとする課題】
【０００５】
特開２００３ー２８８４０５号公報の発明は、ボランティア古紙収集者Ａが古紙の置場や、各戸へ出向いて収集する労力を要し、古紙回収管理者Ｃは、古紙回収業者Ｂを選択し、配車する手間を要する。
【課題を解決するための手段】
【０００６】
本発明は、一般市民が自動車等を利用して施設構内へ多品種の古紙類を持参し、区画され且つ指示された多品種毎の置場へ持参者自身の手で分別して集積するセルフ方式で且つドライブスルー様の無人回収施設であり、適宜に古紙類の貯溜状況を古紙類回収業者が確認して収集することを要旨とし、当該施設に、入場者を監視する装置と、古紙類の種類及び分別の様子を監視し録画する装置と、古紙類以外の異物搬入や誤った分別に対し音声による警告を発し且つ録画する装置と、火災発生に備えて置場に設けた自動消火用スプリンクラー装置と、営業時間外の不審者の侵入や、施設内への不法な物の投棄を防止するため音声を発する警告装置と、録画する装置とを備え、施設の周囲を忍び返しを備えた塀で取り囲み、正門のみから自動車等が出入できるようにし、施設の外部から構内を視認できるように網目状の窓を塀の適所に設けることにより、市民自身のボランティア活動で古紙類の回収を簡素化し、再生紙の資源にリサイクルすることを目的とする。
【発明の効果】
【０００７】
市民自身がセルフ方式で且つドライブスルー様の無人施設構内へ古紙類を容易に搬入でき、多品種に及ぶ古紙類を整頓し分別して置場へ集積でき、不審者の侵入や異物の不法投棄を監視できる。
【発明を実施するための最良の形態】
【０００８】
図１は、本発明に係る古紙類の無人回収施設を示す平面図、図２は同、正面図、図３は同、右側面図である。
【０００９】
施設１の周囲は白色に塗色した鉄材製の塀２で囲まれている。塀２の道路に面する位置に正門３を設ける。正門３にアコーディオン式の門扉４を設け、自動車５の出入口とする。古紙類６を積載した自動車５が構内へ入場するとき又は古紙類６を置いて退場するときの様子を、正門３の近傍に設けた第１センサ７で捕捉すると共に、第１センサ７の作動で、正門３の近傍に立設しているポール８に取り付けた監視並びに録画カメラ９で確認し、動向が不審な入場者に対して音声による警告を発するスピーカ１０と、警告灯１１をポール８に取り付ける。
【００１０】
塀２の上部を屈曲して忍び返し２ａを形成し、一方、塀２の適所に構内を外部から覗見できるように金網入りの窓２ｂを数箇所設ける。
【００１１】
正門３から自動車５を利用して古紙類６を搬入した市民等が、多品種に及ぶ古紙類６を搬入者自身が分別して置くことができる屋根付きの置場１２を構内の奥部に設け且つ、一旦停車した自動車５を再度移動させる必要がない範囲内に区画して設置し、種類の異なる古紙類６の置場１２の案内板１３を搬入者が見易い位置に取り付け、置場１２の天井に自動消火用のスプリンクラー１４を設ける。
【００１２】
搬入者が古紙類６以外の廃品等を持ち込まないよう注意する説明板１５を入場直後の搬入者が気付く位置に取り付けると共に、積載した古紙類６を降ろし置場１２へ持ち込もうとする状況を第２センサ１６で捕捉し、第２センサ１６の感知で作動する警告灯１１と、監視並びに録画カメラ９及び音声で警告するスピーカ１０を置場１２付近の適所に立設したポール８に取り付けている。
【００１３】
これらの各種機器は構内に設けられているコンピュータールーム１７内の制御機器で管理されており、不時の火災発生に備えて消火器１８を配置している。
【００１４】
置場１２に集積された各品種毎の古紙類６を、古紙回収業者が収集して処理場へ持ち込むのである。尚、本願発明は古紙類について詳述しているが、古紙類に限定されず不要な布製品や、空き缶、空き瓶等のリサイクル可能な廃品類の収集にも活用できる。
【産業上の利用可能性】
【００１５】
再生紙の資源となる古紙類のリサイクルを、従来のようにチリ紙交換業者がトラックで戸別に古紙類を収集し回わる手間や、不定期な収集のため市民等が困惑していること、或は地方公共団体から委託された古紙回収業者が、予め決められた日時、置場に各戸から搬入した古紙類を収集し回るという手間のかかる現況を省き、市民等の自主的な持ち込みと、然も分別収集というセルフ方式並びにドライブスルー様の利便さを特徴とするため、産業上の利用可能性は極めて高い。
【図面の簡単な説明】
【００１６】
【図１】本発明に係る古紙類の無人回収施設を示す平面図。
【図２】同、正面図。
【図３】同、右側面図。
【符号の説明】
【００１７】
１施設    ２  塀    ２ａ    忍び返し    ３    正門    ５  自動車
６  古紙類    ７  第１センサ    ９  監視並びに録画カメラ
１０  スピーカ    １１  警告灯    １２  置場    １３  案内板
１４  スプリンクラー    １５  説明板    １６  第２センサ  
【図１】
2005225572.tif 000003
【図２】
2005225572.tif 000004
【図３】
2005225572.tif 000005